(57)【要約】【課題】巨大地震時、倒壊した家屋に大勢の人が閉じ込められたり下敷きになり救出を待っている。やがて電気が復旧するとあちこちから火の手があがり消防車も来られず焼け死ぬのを見ているしかない。この恐ろしい通電火災を防止する為政府でも感震ブレーカーの設置を強く薦めているが、誰でも購入できる簡易タイプは夜に起こると家中が散乱する中、突然暗闇が襲い逆にに命を危険に晒すリスクがあった。【解決手段】簡易タイプなのに本格機能、震度５強で球体を落下させて予めセットして置いたゼンマイタイマーのロックを開放し３分後紐を引きブレーカーを落とす。セットと復帰が楽に出来て小型化に役立つ変形ツマミ、紐止めと一体化したブレーカーキャップ、作動後明るいところで停止、時間延長が可能なので震度設定の必要なし。工事不要、一人での簡単設置と復帰が出来る。【選択図】  図１
2018092878.tif 000002
【特許請求の範囲】
【請求項１】
吊り下げる為のボールチェーンなど自重で垂れ下る紐状部品（１４）と、それを差し込むだけで取り付けられる構造（１９）を有する球体（１６）と、それが乗せられて決められた揺れで落下する太さの台座（９）と、揺れの方向により直接落下しなかった球を受け止める為の囲い及びその球体を導いて落下させる為の筒状穴（７）を組み合わせた球体導行部分（８）と、落下させた球に連動して巻き上げてあるゼンマイタイマーのロックを開放させる為の部品（１０）と、そのロックを外されると作動するゼンマイタイマー（６）と、そのタイマーの回転によって細紐（５）が一定時間後引かれてブレーカーを落とす為の、一人で長さの調節可能なコードストッパー付きブレーカースイッチキャップ（３）と、紐のテンションを保ちながらリセットする為の押しバネ（２０）と、内部が空洞になっていて、嵌めこむだけで球体の真上から筒状穴の反対側にずれた位置に固定され、摘み上げてチェーンをツマミの下に設けられた穴（１７）の手前端に持って行くと自然に球体が台座の上に来る変形ツマミ（２）を有する通電火災防止用簡易型感震ブレーカー
【請求項２】
コンセントに使用する為にゼンマイタイマーの代わりにスイッチ（２６）を用い、球体でゼンマイタイマーのロックを外し可動させる代わりにスイッチで電源を遮断と同時にロック、球体が移動しても電源が切れたままの状態を保持するコンセントタイプの請求項１の通電火災防止用簡易型感震ブレーカー
【発明の詳細な説明】
【技術分野】
【０００１】
巨大地震時の通電火災対策に有効だとして各種の感震ブレーカーが販売されている。通電火災の恐ろしさは後述するとして巨大地震時は消防車も来られず燃えるがまま、幾ら立派な感震ブレーカーを設置しても延焼対策も考える必要がある。現在販売されているのは５万円以上の分電盤に組み込まれている本格的なもの、工事費が必要な分電盤にプラスするタイプ、3000円〜4500円の簡易タイプ、１万円以上で効果も部分的なコンセントタイプがある。延焼の心配を考えると普及が絶対必要条件で、簡易タイプの価格帯でないと普及させるのは難しい。とは言え簡易タイプは夜に起こると大きな揺れで（震度５強以上）家中が散乱する中、突然暗闇になり、逆に命を危険に晒す可能性すらある。そこで本格的なものと同じ３分後にブレーカーを落とす簡易タイプの必要性を痛感していた。
【背景技術】
【０００２】
平成２７年３月１０日の読売新聞に「大地震の電気火災対策に感震ブレーカー設置促す」と言う記事が掲載され、特に危険な66万戸以上の家庭には感震ブレーカーの設置を促すよう要請をする内容だ。他のマスコミも事ある毎に同じような内容の記事やテレビなどで感震ブレーカーの設置を促している。
巨大地震による電気火災だけでなく停電が復旧後に家屋内の断線や漏電、使っていた家電製品がつぶされた状態で発火し火災となる通電火災は、感震ブレーカーを設けることで大部分は防げると言われ、政府もこの設置を積極的に薦めようと計画している。巨大地震で多くの家屋が倒壊、多くの方が下敷きになったり閉じ込められた状態のなか、暫くすると電気が復旧、と同時に各所から火災が発生、消防車も来られず、どんなに泣き叫ぼうとも焼け死ぬのを見ているしかない。これが通電火災の恐ろしさ。ちなみに阪神大震災でも東日本大震災でも出火原因の６割が通電火災と言われている。ブレーカーで全ての電源を落とすのが理想と思っていても安価で安心、素人でも簡単に設置出来、誰にでも薦められる商品は現時点では販売されていない。
【０００３】
市販されている簡易タイプは震度５強以上の揺れでは部屋中が散乱する中、突然真っ暗闇となればパニックにもなり貴重品や避難用品の持ち出し、老人子供病人との避難にも支障を来たすリスクがあり、消防署を始め全ての行政もこれを認めているのに発売されていること事態問題だと思っている。とは言えタイムラグの付いたタイプは予め組み込まれている分電盤に類するもので新築時以外は難しと言われているの他工事費が必要で分電盤にプラスするタイプがあるが、どんなに完全な感震ブレーカーを倒壊の確率が低い新築住宅だけに設置しても貰い火延焼火災は防げない。更に特に簡易タイプでは対応震度を決める必要があるが実際に巨大地震が起こって見ないと専門家でも解らないのに、一般人が決めなければならないのには無理がある。弱く設定し過ぎて必要がないのに暗闇になったり、強く設定し過ぎて必要時に働かなかったとなる可能性がある。
【０００４】
一般的な火災では何台もの消防車が来て火を消してくれるので延焼の心配は少ない。然し巨大地震では火災も多発し道路も遮断され全く当てにできない。一旦火災が発生したら燃えるがまま、いくら完璧な感震ブレーカーで自宅だけ護っても貰い火延焼火災を考えない限り設置した意味がなくなる。その為には出来れば町会単位、地域単位の設置が理想、少なくとも対象地域には普及が不可欠で、新築時よりも旧く耐震構造になっていない家屋への設置が強く望まれる。その為にも本格タイプと同じ機能を搭載し工事費も不要、簡易タイプと同じ価格帯で対応震度を決める必要のない商品が待ち望まれている。
【先行技術文献】
【特許文献】
【０００５】
【特許文献１】特許４７１２３６２
【特許文献１】実用新案３０６４９９０
【特許文献１】実用新案３２０２０５７
【特許文献１】実用新案３１９８４４２
【特許文献１】特開２００６−１６４６４９
【特許文献１】実用新案３１１３４９２
【特許文献１】特開２００１−２２９７９３
【特許文献１】特開２００１−２０２８６４
【特許文献１】特開２００１−３７０１８
【特許文献１】特開２０００−１１３７９７
【特許文献１】実用新案３０６６０３４
【特許文献１】特開平１１−２１９６４２
【特許文献１】特開平１１−６７０４５
【特許文献１】実用新案３０５２４５８
【特許文献１】特開平９−２９８０２４
【特許文献１】特開平９−２１３１８１
【特許文献１】特開平９−１８０６１９
【特許文献１】特開平９−１４７７３０
【特許文献１】特開平９−３５６１１
【特許文献１】特開平８−２８７８１２
【特許文献１】実用新案登録３０２８６６５
【特許文献１】実用新案登録３０２６３８７
【特許文献１】実用新案登録３０２５８４８
【特許文献１】特開２００６−２３６９５６
【特許文献１】特開平１０−２２８８５４
【特許文献１】特開平１０―６４４０１
【特許文献１】特開平９−１４７７３０
【特許文献１】特開平９−２５１８３５
【特許文献１】実用新案登録  ３０３２７９５
【特許文献１】実用新案登録  ３０１９２８６
【発明の概要】
【発明が解決しようとする課題】
【０００６】
通電火災を防ぐ製品は何種類か販売されていて或る程度は普及されているが全体から見ると普及には程遠い。普及しなければどんなに理想の製品を設置しても、設置していない家屋からの延焼による通電火災で全焼してしまう心配がある。前記の理由で行政などは積極的に薦められない事情もある。普及出来る製品とは一般市民が工事費の必要がなく、素人でも簡単に設置、無理なく購入できる価格帯で夜起こった場合の対応も想定した製品であると確信した。
電池類使用では電池のトラブルが心配、いざと言う時に使えない心配がある。電気を使用したいと考えても一般的に分電盤のあるところには電源コンセントがない。別の部屋から延々とコードを引かなければならない。そこで必要震度を感じると球体を穴に落としてゼンマイタイマーを始動、３分後に紐を引いてブレーカーを落とす構造とした。ところが球体を落とすだけなら問題は無かったのだがリセット時引き上げる為の紐を付ける必要があり、紐を付けると絡まったり引っ掛かってうまく落ちてくれない。更にブレーカーを落とす別の細紐はテンションが必要だが、ブレーカースイッチはバネで落ち易く出来ているので一人で設置作業中、ブレーカーを少しでも引く事なく設置やリセットをするにも別にアイデアが必要だった。最も困ったのは各種の分電盤に設置できるように小型にするアイデアだった。大きければ大きい程対応できない分電盤が増える。大部分の分電盤に設置できなければ意味がない。更に病人、老人、小さな子供のいる家庭では巨大地震即暗闇を考えるだけで恐怖すら感じるが、これなら明るいところで貴重品や必要用品を持ち、他の部屋にいる家族に知らせ、避難準備もできパニック状態になる可能性も軽減できる。更にゼンマイタイマーの欠点としてゼンマイを巻き切った状態ではバネの劣化が心配で、緩んだ状態では時間が不正確、万一を考えると途中で止まってしまう心配さえある。
特に簡易型感震ブレーカーは設置時に対応震度を決める必要があるが、必要がなかったのに作動し暗闇になってしまったり、大きく決めた為に必要な時に作動しないのでは折角設置しても無駄になる可能性もある。
【課題を解決するための手段】
【０００７】
振動を感知するには金属球（１６）を振動で落下させるのが最も確実と考えた。電池類、電気が使えないと言う条件で簡単にタイムラグを設けるためにはゼンマイタイマー（６）を利用するしかない。ゼンマイを巻いた状態でロックしておき、金属球を落下させてロックを外し、決めた時間（３分程度）に紐を引きブレーカーを落とせば良い。特別の電源の必要がないので電池類やＡＣアダプターの必要がない。但し音で３分間も作動している事を知らせるとしたらゼンマイでは無理があり、どうしても必要と考える人の為にオプションとしてこれのみボタン電池とミニブザーを組み込めるスペースを確保した。万一乾電池が劣化していたとしても音が小さくなるか鳴らなくなるだけで作動には影響がない。いろいろな方向の揺れに対処させる為に台座（９）に球体を乗せ、振動で落下させて作動させる為に実験を繰り返した。広さに制限無く単に球体だけ落とせば良いのならとも角、リセットする事を考えればどうしても紐を付ける必要があったがスペースにも制限があり、紐が絡まったり挟まったり邪魔したりでこのままでは途中で引っかかって落ちない場合が多く出てきた。１００％確実に作動させなければならない。原因は球体が転がってしまうからだと解り、紐の取り付け位置が常に上部にあってスライドさせて落とせば絡むことはない。試行錯誤の末球体を落とす穴（７）を球体がすっぽり嵌る大きさにし、吊り下げる紐は重みがあるボールチェーン（１４）にした。但し真上に吊り下用ボールチェーン止めを設けるとボールチェーンが球の落下を邪魔するので吊り下げる位置を落下させる穴と反対側に移動して設ける事でボールチェーンの重みで球体を受け止める壁（８）の外にボールチェーンがU字型に垂れる状態になり（図８左）、更にボールチェーンを最短にする事で小さなスペースでも全く絡んだり落下に影響されないで穴に確実に落ちる事が解った。これでボールチェーンの作用でそのまま無理なく穴に滑り落ちる。このままではボールチェーンが動くスペースが必要でその分ケースを大きくする必要があったが、ボールチェーンを取り付けたツマミ（２）を大きくして内部に空洞を設け、ボールチェーンが動くスペースにしたのでその分全体を小型に、特に取り付けスペースが小さくなった。更に球体にボールチェーンの動きを邪魔したくなかったので、球体に被せる薄いプラスチックカバーの一部に、逆さＬ字型の凸部（１９）を設け、その上部に鍵穴状の切込みを設ける事によりボールチェーンの接続部を差し込むだけで球体に簡単にボールチェーンを取り付ける事が出来、自由に動き外れる事はない。揺れが穴とは別の方向でも一時的に落下を受け止めるスペース又は壁（８）を設けたのでどんな方向からの揺れにも対処できるようになった。巻かれたゼンマイをロックしておき、落下した球体を受け止めると下に押されてそのゼンマイのロックを外す部品（１０）を設けた。ゼンマイ１２分タイマーの真ん中部分の３分程度を利用した。これなら普段は半緩状態で保持、最後の緩み切った部分を使わないで済む。細紐（５）は回転途中まで引っ張られず、最後の部分のみ引いてブレーカーを落とすのだが（図９参考）、本体とブレーカーキャップ間の細紐はテンションが必要、設置時は片手でブレ��カーキャップを押さえると同時に紐留めを（２２）開放、別の手で紐を引くことで解決（図４左）、リセットも時同じ事を行う事でも問題はなかったが、これではその度に細紐を一旦緩めないと難しい。そこで細紐のテンションはそのままで細紐に付いている押しバネ（２０）を使い、紐を引きながらキャップを被せれば良いように改良、リセット時の作業性が大幅に改善された。これにより明るいところで簡単に停止、時間延長、リセットが可能になり、対応震度を決める必要がなく、通電火災が起こる可能性が出る震度５強程度に決めておけば、従来の感震ブレーカーでは出来なかった理想に近い対応になる。
【０００８】
設置は分電盤の下部に本体を両面テープで曲がらないように貼り付け、上部のツマミを摘んでツマミが嵌っていた穴の左手前側端の真上に引き上げて、その位置でゆっくり降ろすと球体が自然と球座に乗る（図１１）。球体とツマミ下の穴が接近しているので、球座に乗っているかの確認が楽に出来る。更にボールチェーンの一部に色を付け（１５）、これが見えればセットされている目安にした。ボールチェーンのツマミを元の位置に戻し（ツマミを嵌めれば自然と球体の真上から右後方にずれる）レバーを押し下げロックしているのを確認。スイッチキャップを被せてブレーカーのスイッチをしっかり抑えながらコードストッパー（２２）を指で押して開き、別の手で細紐の先端側を引くと細紐は自然に弛みなく張り、余分の細紐をカットすれば終了する。紐が斜めでも或る程度まで作動する。
【０００９】
とは言え大勢の人の中にはブレーカーで全ての電源を切る事に対して抵抗を感じる人も多い。その為に３Ｐコーナーコンセントに、揺れを感知して金属球を落とす部分はそのままにゼンマイタイマーの代わりにマイクロスイッチ３Ａを並列に６個使用しただけのコンセントタイプも提案する。単にこのままの構造では家屋が傾いたり倒壊した場合、スイッチを押していた球が浮き上がり再びスイッチが入ってしまう。そこで球の重さでスイッチが切れた状態でロックされる機能をプラスした。古い家屋では稀にコンセントに差し込んで固定しようとしてもしっかり固定されないものがあり、これ自体が動いてしまう心配があるので、その場合は両面テープで仮固定する事の提案で解決した。リセットは上部に設けられた蓋を開けて上から覗き込んでボールチェーンを摘み球体が乗っている事を確認して蓋を閉める。
【発明の効果】
【００１０】
電気を使わないので停電していても作動する。工事が不要、紐のテンションが保てる場所であれば各箇所に簡単設置。巨大地震が夜起こり、家中が散乱してとしても病人老人子供のいる家庭でも明るい処で余裕を持って貴重品、避難用品を確保、パニックにならず、安心して家族と避難できる。震度５強程度以上の揺れの３分後に自動的にブレーカーを落とす。必要ないと思ったら作動後停止やリセットが出来、時間が足りないと思ったら途中で延長可能なので予め対応震度を決める必要がない。幾ら普及を呼びかけても高価では本来設置して貰いたいような家屋にさえ薦められない。一般家庭や町内会などでの一括購入で無理なく購入出来る価格帯なので一気に普及が可能で大地震時の延焼火災を防ぐ。更にブレーカーを落とすのでは抵抗がある方にはコンセントタイプも。
【図面の簡単な説明】
【００１１】
【図１】は分電盤ブレーカーにセットした状態の全体斜視図。
【図２】は内部部品配置図。
【図３】は図２の中心より左右を見た図。
【図４】はブレーカーのスイッチキャップ及びアジャスト用補助パーツ。各種スイッチに合った幅のパーツを選びキャップの内部に押し込んで使う。
【図５】はセットとリセットが出来て、内部が空洞になっているツマミ。
【図６】は球体に差し込むだけでボールチェーンが取り付けられる図。
【図７】はゼンマイタイマーをロック、球体が落下すると、それに連動してゼンマイタイマーのロックを外すための部品。
【図８】は球体を転がさずに穴に滑り落す説明図。
【図９】はゼンマイタイマーのロックが外れて始動、回転途中よりブレーカーを落す為に紐が引かれる説明図
【図１０】はリセットの為にテンションを保ちながらブレーカーを落とす心配なしにキャップを被せる説明図
【図１１】は球体を吊り上げて穴の手前端で降ろすだけで球座に乗り、ツマミをはめ込むと自然にボールチェーンが落下させる穴の反対側に垂れ下がる説明図
【図１２】はコンセントタイプに使用した場合の斜視図
【図１３】はコンセントタイプに使用した場合の内部説明図
【図１４】はコンセントタイプに使用した場合の蓋を開けた斜視図
【符号の説明】
【００１２】
１  は本体
２  は中が空洞になっている変形ツマミ
３  は紐の長さが一人で調節可能なブレーカースイッチキャップ
４  はブレーカー
５  は細紐
６  はゼンマイタイマー
７  は球体を落とす筒状穴
８  は球体を穴（７）に導く為の壁付きの球体導行部分
９  は球体を乗せる球座
１０  はゼンマイタイマーをロック、及び解除させる為の部品
１１  は（１０）の復帰用バネ
１２  は各種サイズのブレーカースイッチに使えるようにする為にブレーカーキャップ（３）に挿入させて使う付属部品
１３  は埋め込み型ブレーカースイッチ対応用  
１４  はボールチェーン
１５  はボールチェーンに付けられた印
１６  は球体（金属球）
１７  はツマミの下に設けた穴。
１８  はゼンマイタイマー固定用板
１９  は差し込むだけで球体にボールチェーンを取り付けられる
２０  は紐のテンションを保ちながらブレーカースイッチにキャップを被せる為の押しバネ
２１  はゼンマイタイマー巻上げ用レバー
２２  は紐止めを開放して長さを調整する押しボタン
２３  は上蓋（リセット及び確認用）
２４  はロック開放ツマミ
２５  はランプ
２６  は電源コンセント部
２７  は電源切断用スイッチ
２８  は落下した球体でスイッチを押して電源を遮断させる部品
【図１】
2018092878.tif 000003
【図２】
2018092878.tif 000004
【図３】
2018092878.tif 000005
【図４】
2018092878.tif 000006
【図５】
2018092878.tif 000007
【図６】
2018092878.tif 000008
【図７】
2018092878.tif 000009
【図８】
2018092878.tif 000010
【図９】
2018092878.tif 000011
【図１０】
2018092878.tif 000012
【図１１】
2018092878.tif 000013
【図１２】
2018092878.tif 000014
【図１３】
2018092878.tif 000015
【図１４】
2018092878.tif 000016